(57)【特許請求の範囲】
【請求項１】
ホルダに延設したスライド溝に対しスライダをその延設方向である前後方向へ移動可能に支持し、このスライダに連結した刃体をスライダに対する移動操作に伴いホルダのスライド溝内に収納させた状態とこのスライド溝から突出させた状態とを取り得るようにした刃体出没式カッターナイフにおいて、
前記ホルダにあっては、前記スライダの移動方向である前後方向に対し直交する上下方向の両側でスライド溝の上下両縁部にそれぞれ係止凹部を前後方向へ並設し、
前記スライダにあっては、スライダ本体と、このスライダ本体に対し移動操作可能に支持した操作体と、このスライダ本体に取り付けた係止ばねとを設け、この係止ばねに設けた上下両係止部を操作体に対する移動操作に伴い前記スライド溝の上下両係止凹部に対し係脱可能にし、
前記係止ばねは、スライダ本体に対し両持ち梁状に支持された板ばねと、スライダ本体内に形成したロック室でこの板ばねに対し別体に設けられた状態で分離可能に載置されて収容された係止軸とからなり、前記係止ばねの上下両係止部は板ばねから突出してロック室から露出するこの係止軸の上下両端部に設けられ、
前記板ばね上における係止軸の動きのうち、前記スライダの移動方向である前後方向に対し直交し且つこの板ばねの付勢方向である左右方向の動きを規制し得る左右両規制面は、係止軸を載置する板ばねの載置面と、係止軸をこの板ばねの載置面との間で挟持する操作体の押接面であって、係止軸の外周面の左右両側に対し係止可能であり、
前記板ばね上における係止軸の動きのうち、前後方向の動きを規制し得る前後両規制面は、スライダのスライダ本体に設けられ、係止軸の外周面の前後両側に対し係止可能であり、
前記板ばね上における係止軸の動きのうち、上下方向の動きを規制し得る上下両規制面は、スライダのスライダ本体またはスライダの操作体またはスライダのスライダ本体及び操作体に設けられて係止軸の上下両係止部の上下両端面を係止可能である
ことを特徴とする刃体出没式カッターナイフ。
【請求項２】
ホルダに延設したスライド溝に対しスライダをその延設方向である前後方向へ移動可能に支持し、このスライダに連結した刃体をスライダに対する移動操作に伴いホルダのスライド溝内に収納させた状態とこのスライド溝から突出させた状態とを取り得るようにした刃体出没式カッターナイフにおいて、
前記ホルダにあっては、前記スライダの移動方向である前後方向に対し直交する上下方向の両側でスライド溝の上下両縁部にそれぞれ係止凹部を前後方向へ並設し、
前記スライダにあっては、スライダ本体と、このスライダ本体に対し移動操作可能に支持した操作体と、このスライダ本体に取り付けた係止ばねとを設け、この係止ばねに設けた上下両係止部を操作体に対する移動操作に伴い前記スライド溝の上下両係止凹部に対し係脱可能にし、
前記係止ばねは、スライダ本体に支持された板ばねと、この板ばねに対し別体に設けられて取り付けられた係止軸とからなり、前記係止ばねの上下両係止部はこの係止軸の上下両端部に設けられ、
前記係止軸の上下両係止部は、上下方向に延設された中心線を持つ円形状の外周面を有し、この上下両係止部の外周面は、その中心線を通り且つ前後方向を含む想定平面で区画されて、前記板ばねの付勢向き側となる外側半円周面と、この付勢向きの反対向き側になる内側半円周面とを有し、
前記上下両係止部が板ばねの弾性力により付勢されて前記スライド溝の上下両係止凹部に係入されたロック位置で、上下両係止凹部に上下両係止部の内側半円周面が係止可能なロック状態を取り、
前記上下両係止部が操作体により板ばねの弾性力に抗して押されたロック解除位置で、上下両係止凹部に上下両係止部の外側半円周面が係止可能になるロック解除状態と、上下両係止凹部から上下両係止部の外周面が外れるロック解除状態とのうち、少なくとも一方のロック解除状態を取る
ことを特徴とする刃体出没式カッターナイフ。
【請求項３】
ホルダに延設したスライド溝に対しスライダをその延設方向である前後方向へ移動可能に支持し、このスライダに連結した刃体をスライダに対する移動操作に伴いホルダのスライド溝内に収納させた状態とこのスライド溝から突出させた状態とを取り得るようにした刃体出没式カッターナイフにおいて、
前記ホルダにあっては、前記スライダの移動方向である前後方向に対し直交する上下方向の両側でスライド溝の上下両縁部にそれぞれ係止凹部を前後方向へ並設し、
前記スライダにあっては、スライダ本体と、このスライダ本体に対し移動操作可能に支持した操作体と、このスライダ本体に取り付けた係止ばねとを設け、この係止ばねに設けた上下両係止部を操作体に対する移動操作に伴い前記スライド溝の上下両係止凹部に対し係脱可能にし、
前記係止ばねは、スライダ本体に支持された板ばねと、この板ばねに対し別体に設けられて取り付けられた係止軸とからなり、前記係止ばねの上下両係止部はこの係止軸の上下両端部に設けられ、
前記スライダ本体にあっては、その内側にロック室を有し、このロック室のうち、前記操作体に面する側が操作孔で開放されているとともに、上下両側が係止孔で開放され、
この上下両係止孔には操作体に面する側へ開放した組付口部を前記操作孔の上下両側に隣接して形成し、この組付口部により、前記上下両係止孔と、この上下両係止孔間にある操作孔の一部とを互いに連通させ、
前記係止ばねの板ばねを操作孔からロック室に挿入するとともに、前記係止ばねの係止軸を前記上下両係止孔の組付口部と操作孔の一部とからロック室に挿入して、この係止軸の上下両係止部をロック室から上下両係止孔を通して突出させた状態で、係止ばねをスライダ本体に支持した
ことを特徴とする刃体出没式カッターナイフ。
【請求項４】
ホルダに延設したスライド溝に対しスライダをその延設方向である前後方向へ移動可能に支持し、このスライダに連結した刃体をスライダに対する移動操作に伴いホルダのスライド溝内に収納させた状態とこのスライド溝から突出させた状態とを取り得るようにした刃体出没式カッターナイフにおいて、
前記ホルダにあっては、前記スライダの移動方向である前後方向に対し直交する上下方向の両側でスライド溝の上下両縁部にそれぞれ係止凹部を前後方向へ並設し、
前記スライダにあっては、スライダ本体と、このスライダ本体に対し移動操作可能に支持した操作体と、このスライダ本体に取り付けた係止ばねとを設け、この係止ばねに設けた上下両係止部を操作体に対する移動操作に伴い前記スライド溝の上下両係止凹部に対し係脱可能にし、
前記係止ばねは、スライダ本体に支持された板ばねと、この板ばねに対し別体に設けられて取り付けられた係止軸とからなり、前記係止ばねの上下両係止部はこの係止軸の上下両端部に設けられ、
前記スライダ本体は、刃体を連結するとともに係止ばねを取り付ける基台と、前記操作体の前後両側及び上下両側を囲う囲繞部を有する枠部とを備え、この基台と枠部とを互いに分離して設けて組み付け、
この操作体は、このスライダ本体において基台と枠部との間で挟まれて組み付けられ、この基台及び枠部に対し移動し得る
ことを特徴とする刃体出没式カッターナイフ。
【発明の詳細な説明】
【０００１】
【発明の属する技術分野】
この発明は、スライダに対する移動操作に伴い刃体をホルダ内に収納させた状態とこのホルダから突出させた状態とを取り得るようにした刃体出没式カッターナイフに関するものである。
【０００２】
【従来の技術】
従来、この種の刃体出没式カッターナイフは、例えば、下記のように構成されている。
【０００３】
ホルダに延設されたスライド溝に対しスライダがその延設方向である前後方向へ移動可能に支持されている。このスライダに連結された刃体は、スライダに対する移動操作に伴い、ホルダのスライド溝内に収納された状態と、このスライド溝から突出した状態とを取り得る。前記ホルダにあっては、前記スライダの移動方向である前後方向に対し直交する上下方向の両側でスライド溝の上下両縁部にそれぞれ係止凹部が前後方向へ並設されている。前記スライダにあっては、スライダ本体と、このスライダ本体に対し移動操作可能に支持された操作体と、このスライダ本体に取り付けられた係止ばねとが設けられている。この係止ばねに設けられた上下両係止部は、操作体に対する移動操作に伴い、前記スライド溝の上下両係止凹部に対し係脱可能になっている。
【０００４】
【発明が解決しようとする課題】
しかし、前記係止ばねにあっては上下両係止部が板ばねに直接一体成形されているので、板ばねの成形が困難になっていた。
【０００５】
本発明は、板ばねを成形し易くして係止ばねを容易に製造することを主目的にしている。
【０００６】
【課題を解決するための手段及び発明の効果】
後記各実施形態の図面（図１〜７に示す第一実施形態、この図１〜７を援用して示す第一実施形態の別例、図８〜１１に示す第二実施形態、この図８〜１１を援用して示す第二実施形態の別例、図１２〜１５に示す第三実施形態、この図１２〜１５を援用して示す第三実施形態の別例、図１６〜１９に示す第四実施形態、この図１６〜１９を援用して示す第四実施形態の別例）の符号を援用して本発明を説明する。
【０００７】
＜請求項の発明＞
請求項１の発明にかかる刃体出没式カッターナイフは第一実施形態、第二実施形態、第三実施形態及び第四実施形態に対応し、請求項２の発明にかかる刃体出没式カッターナイフは第一実施形態及びその別例、第二実施形態及びその別例、第三実施形態及びその別例並びに第四実施形態及びその別例に対応し、請求項３の発明にかかる刃体出没式カッターナイフは第二実施形態及びその別例、第三実施形態及びその別例並びに第四実施形態及びその別例に対応し、請求項４の発明にかかる刃体出没式カッターナイフは第三実施形態及びその別例並びに第四実施形態及びその別例に対応する。
【０００８】
＊  請求項１または請求項２または請求項３または請求項４の発明は、下記の共通構成及び効果を有している。
ホルダ（１）に延設したスライド溝（６）に対しスライダ（２）をその延設方向である前後方向（Ａ）へ移動可能に支持している。このスライダ（２）に連結した刃体（３）をスライダ（２）に対する移動操作に伴いホルダ（１）のスライド溝（６）内に収納させた状態とこのスライド溝（６）から突出させた状態とを取り得るようにしている。前記ホルダ（１）にあっては、前記スライダ（２）の移動方向である前後方向（Ａ）に対し直交する上下方向（Ｂ）の両側でスライド溝（６）の上下両縁部にそれぞれ係止凹部（７）を前後方向（Ａ）へ並設している。前記スライダ（２）にあっては、スライダ本体（８）と、このスライダ本体（８）に対し移動操作可能に支持した操作体（９）と、このスライダ本体（８）に取り付けた係止ばね（１０）とを設け、この係止ばね（１０）に設けた上下両係止部（２９）を操作体（９）に対する移動操作に伴い前記スライド溝（６）の上下両係止凹部（７）に対し係脱可能にしている。
【０００９】
前記係止ばね（１０）は、スライダ本体（８）に支持された板ばね（２３）と、この板ばね（２３）に対し別体に設けられて取り付けられた係止軸（２４）とからなる。ただし、請求項１の発明でこの「取り付け」は、分離可能に載置された状態で取り付けられていることを意味し、請求項２または請求項３または請求項４の発明でこの「取り付け」は、分離可能に載置された状態で取り付けられていることに加え、固着された状態で取り付けられていることも意味する。前記係止ばね（１０）の上下両係止部（２９）は、この係止軸（２４）の上下両端部に設けられている。
【００１０】
前述したように、係止ばね（１０）は、板ばね（２３）のほかに、この板ばね（２３）に対し別体に設けられて取り付けられた係止軸（２４）からなる。前記従来技術のように板ばねに対し直接一体成形された係止部に該当する係止部（２９）は、この板ばね（２３）ではなく、この別体の係止軸（２４）に形成されている。ところで、従来技術では、板ばねの幅寸法がホルダの幅寸法やスライダの幅寸法に合わせて制限されるため、係止部を板ばねに対し直接一体成形する場合、係止部は板ばねから突出させなければならなず、その突出部分の曲げ成形が困難になっていた。しかし、板ばね（２３）は、このような係止部（２９）と関係なく成形することができる。そのため、この従来技術と比較して、板ばね（２３）を成形し易くなる。従って、係止ばね（１０）を製造し易くなる。ちなみに、板ばね（２３）の成形の容易性とは、係止部のない形状とした分だけ成形し易くなるという意味であって、板ばね（２３）自体は必要に応じて任意に成形してもよく、例えば単なる平板形状であってもよい。
【００１１】
以上は、請求項１または請求項２または請求項３または請求項４の発明に共通する効果であるが、特に請求項１の発明では、上記係止ばね（１０）において係止軸（２４）が板ばね（２３）の載置面（２５）に対し分離可能に載置されているだけであるため、係止軸（２４）を板ばね（２３）に固着する作業が不要になり、係止ばね（１０）を製造し易くなる。
【００１２】
＊  さらに、請求項１の発明は、下記の構成及び効果を有している。
前記係止ばね（１０）において、板ばね（２３）はスライダ本体（８）に対し両持ち梁状に支持され、係止軸（２４）はスライダ本体（８）内に形成したロック室（１３）でこの板ばね（２３）に対し別体に設けられた状態で分離可能に載置されて収容され、前記係止ばね（１０）の上下両係止部（２９）は板ばね（２３）から突出してロック室（１３）から露出するこの係止軸（２４）の上下両端部に設けられている。
前記板ばね（２３）上における係止軸（２４）の動きのうち、前記スライダ（２）の移動方向である前後方向（Ａ）に対し直交し且つこの板ばね（２３）の付勢方向である左右方向（Ｃ）の動きを規制し得る左右両規制面（２５，２２）は、係止軸（２４）を載置する板ばね（２３）の載置面（２５）と、係止軸（２４）をこの板ばね（２３）の載置面（２５）との間で挟持する操作体（９）の押接面（２２）であって、係止軸（２４）の外周面（２７）の左右両側に対し係止可能である。
前記板ばね（２３）上における係止軸（２４）の動きのうち、前後方向（Ａ）の動きを規制し得る前後両規制面（３０）は、スライダ（２）のスライダ本体（８）に設けられ、係止軸（２４）の外周面（２７）の前後両側に対し係止可能である。
前記板ばね（２３）上における係止軸（２４）の動きのうち、上下方向（Ｂ）の動きを規制し得る上下両規制面（３１，３１ａ，３１ｂ）は、スライダ（２）のスライダ本体（８）またはスライダ（２）の操作体（９）またはスライダ（２）のスライダ本体（８）及び操作体（９）に設けられて係止軸（２４）の上下両係止部（２９）の上下両端面（２８）を係止可能である。
そのため、係止軸（２４）を板ばね（２３）に対し分離可能に載置したにもかかわらず、係止軸（２４）を板ばね（２３）上で安定して支持することができる。従って、この係止軸（２４）によるロック及びロック解除を円滑かつ確実に行うことができる。また、簡単な構造で係止軸（２４）の動きを規制することができる。
【００１３】
＊  さらに、請求項２の発明は、下記の構成及び効果を有している。
前記係止軸（２４）の上下両係止部（２９）は、上下方向（Ｂ）に延設された中心線（２７ａ）を持つ円形状の外周面（２７）を有している。この上下両係止部（２９）の外周面（２７）は、その中心線（２７ａ）を通り且つ前後方向（Ａ）を含む想定平面（Ｓ）で区画されて、前記板ばね（２３）の付勢向き側となる外側半円周面（３２）と、この付勢向きの反対向き側になる内側半円周面（３３）とを有している。前記上下両係止部（２９）が板ばね（２３）の弾性力により付勢されて前記スライド溝（６）の上下両係止凹部（７）に係入されたロック位置（Ｒ）で、上下両係止凹部（７）に上下両係止部（２９）の内側半円周面（３３）が係止可能なロック状態（ＰＲ）を取る。前記上下両係止部（２９）が操作体（９）により板ばね（２３）の弾性力に抗して押されたロック解除位置（Ｆ）で、上下両係止凹部（７）に上下両係止部（２９）の外側半円周面（３２）が係止可能になるロック解除状態（ＱＦ１）と、上下両係止凹部（７）から上下両係止部（２９）の外周面（２７）が外れるロック解除状態（ＱＦ２）とのうち、少なくとも一方のロック解除状態（ＱＦ１，ＱＦ２）を取る。
前記ロック状態（ＰＲ）においてスライダ（２）に前後方向（Ａ）への移動力が加えられた場合、係止軸（２４）の上下両係止部（２９）において外周面（２７）の内側半円周面（３３）が係止凹部（７）に働く力の分力（Ｗ）は、右向き（付勢向き）になる。そのため、ロック状態（ＰＲ）が不用意に解除されにくくなる。従って、ロック状態（ＰＲ）を確実に維持することができる。
【００１４】
＊  さらに、請求項３の発明は、下記の構成及び効果を有している。
前記スライダ本体（８）にあっては、その内側にロック室（１３）を有し、このロック室（１３）のうち、前記操作体（９）に面する側が操作孔（１５）で開放されているとともに、上下両側が係止孔（１４）で開放されている。この上下両係止孔（１４）には操作体（９）に面する側へ開放した組付口部（１４ａ）を前記操作孔（１５）の上下両側に隣接して形成している。この組付口部（１４ａ）により、前記上下両係止孔（１４）と、この上下両係止孔（１４）間にある操作孔（１５）の一部（１５ａ）とを互いに連通させている。前記係止ばね（１０）の板ばね（２３）を操作孔（１５）からロック室（１３）に挿入するとともに、前記係止ばね（１０）の係止軸（２４）を前記上下両係止孔（１４）の組付口部（１４ａ）と操作孔（１５）の一部（１５ａ）とからロック室（１３）に挿入して、この係止軸（２４）の上下両係止部（２９）をロック室（１３）から上下両係止孔（１４）を通して突出させた状態で、係止ばね（１０）をスライダ本体（８）に支持している。従って、係止ばね（１０）の板ばね（２３）を操作孔（１５）からロック室（１３）に挿入するとともに、係止ばね（１０）の係止軸（２４）を上下両係止孔（１４）の組付口部（１４ａ）と操作孔（１５）の一部（１５ａ）とからロック室（１３）に挿入するだけで、係止ばね（１０）をスライダ本体（８）に対し容易に組み付けることができる。
【００１５】
＊  さらに、請求項４の発明は、下記の構成及び効果を有している。
前記スライダ本体（８）は、刃体（３）を連結するとともに係止ばね（１０）を取り付ける基台（３５）と、前記操作体（９）の前後両側及び上下両側を囲う囲繞部（４０）を有する枠部（３６）とを備え、この基台（３５）と枠部（３６）とを互いに分離して設けて組み付けている。この操作体（９）は、このスライダ本体（８）において基台（３５）と枠部（３６）との間で挟まれて組み付けられ、この基台（３５）及び枠部（３６）に対し移動し得る。この操作体（９）の移動方向は、例えば、前後方向（Ａ）のみ、または上下方向（Ｂ）のみ、または前後方向（Ａ）と上下方向（Ｂ）との両方向である。
使用時にスライダ（２）に不用意に触れた場合、使用者の指は操作体（９）よりもまずスライダ本体（８）の囲繞部（４０）に当たり易くなる。そのため、操作体（９）を誤って移動させるおそれは少なくなる。従って、不用意にロック解除されにくくなる。
また、基台（３５）と枠部（３６）とを別々に成形することができる。従って、基台（３５）及び枠部（３６）をそれぞれ成形し易くなり、ひいてはスライダ本体（８）を容易に製造することができる。この場合、基台（３５）に対し枠部（３６）を着脱可能に組み付けてもよい。
さらに、基台（３５）と枠部（３６）と操作体（９）とを容易に組み付けることができる。例えば、基台（３５）に対し枠部（３６）を着脱可能に組み付けた場合には、それらを容易に分解することもできる。
【００１６】
＜請求項以外の発明＞
【００１９】
＊  第５の発明
この発明は、請求項２の発明を前提にして下記のように構成されている。
係止軸（２４）の上下両係止部（２９）の外周面（２７）にあって外側半円周面（３２）と内側半円周面（３３）とを区画する想定平面（Ｓ）で、この外側半円周面（３２）と内側半円周面（３３）との境界面（３４）を、ホルダ（１）のスライド溝（６）の上下両係止凹部（７）に対し係止し得る位置が、ロック位置（Ｒ）とロック解除位置（Ｆ）との境界位置となっている。従って、簡単な構造でロック状態（ＰＲ）を確実に維持することができる。
【００２０】
＊  第６の発明
この発明は、請求項２の発明または第５の発明を前提にして下記のように構成されている。
【００２１】
板ばね（２３）はスライダ本体（８）に対し両持ち梁状に支持され、係止軸（２４）は、丸棒であって、スライダ本体（８）内に形成したロック室（１３）でこの板ばね（２３）上に載置されて収容され、この係止軸（２４）の上下両係止部（２９）は板ばね（２３）から突出してロック室（１３）から露出している。従って、簡単な構造でロック状態ＰＲを確実に維持することができる。
【００２２】
＊  第７の発明
この発明は、請求項３の発明を前提にして下記のように構成されている。
操作孔（１５）からロック室（１３）に挿入した板ばね（２３）を、ロック室（１３）に面するばね室（１６）内で両持ち梁状に支持した。従って、係止ばね（１０）の板ばね（２３）をスライダ本体（８）に対し容易に組み付けることができる。
【００２３】
＊  第８の発明
この発明は、請求項４の発明を前提にして下記のように構成されている。
囲繞部（４０）の内側には指掛孔（４１）を設け、操作体（９）に設けた指掛部（２０）をこの指掛孔（４１）から露出させた。
【００２４】
＊  第９の発明
この発明は、第８の発明を前提にして下記のように構成されている。
スライダ本体（８）は、刃体（３）を連結するとともに係止ばね（１０）を取り付ける基台（３５）と、囲繞部（４０）及び指掛孔（４１）を有する枠部（３６）とを備え、この枠部（３６）の囲繞部（４０）で指掛孔（４１）の周囲には指掛孔（４１）から露出する指掛部（２０）が収容される窪み（３９）を設けた。この窪み（３９）があるため、スライダ（２）に不用意に触れた使用者の指は、操作体（９）の指掛部（２０）よりもまず枠部（３６）の囲繞部（４０）に当たり易くなる。従って、操作体（９）を誤って移動させるおそれは少なくなって不用意にロック解除されにくくなる。
【００２８】
＊  第１０の発明
この発明は、請求項２または請求項３または請求項４の発明を前提にして下記のように構成されている。
【００２９】
係止ばね（１０）にあって係止軸（２４）が板ばね（２３）に対し分離可能に載置され、この板ばね（２３）がロック室（１３）で両持ち梁状に支持されている。従って、係止軸（２４）を板ばね（２３）に固着する作業が不要になり、係止ばね（１０）を容易に製造することができる。
【００３１】
【発明の実施の形態】
〔第一実施形態〕
まず、第一実施形態にかかる刃体出没式カッターナイフを図１〜７を参照して説明する。
【００３２】
＜カッターナイフの概要＞
図１に示すように、このカッターナイフは、大別して、ホルダ１とスライダ２と刃体３とを備えている。
【００３３】
前記ホルダ１は、金属製の案内部４と、この案内部４の外側に取着されたプラスチック製の把持部５とからなる。この案内部４にスライド溝６が延設されている。このスライド溝６の延設方向である前後方向Ａに対し直交する上下方向Ｂの両側でスライド溝６の上下両縁部にそれぞれ係止凹部７が前後方向Ａへ互いに等間隔で並設されている。上縁部の各係止凹部７と下縁部の各係止凹部７とは、それぞれ、コ字形状に形成され、図１（ｃ）に示すように、前後方向Ａに沿う底面７ａと、この底面７ａの前後両側に連続にして上下方向Ｂに沿う前側面７ｂ及び後側面７ｃと、この前側面７ｂと後側面７ｃとの間で底面７ａに面する開口７ｄとを有し、この開口７ｄで相対向しているとともに、図３，４に示すように前後方向Ａ及び上下方向Ｂに対し直交する左右方向Ｃへ貫通されている。ちなみに、この前側面７ｂと後側面７ｃとは、平面状をなし、上下方向Ｂに対しほぼ平行に形成されているとともに、左右方向Ｃに対しほぼ平行に形成されている。
【００３４】
前記スライド溝６に対し前記スライダ２が前後方向Ａへ移動可能に支持されている。このスライダ２に連結された前記刃体３は、スライダ２に対する移動操作に伴い、図１（ａ）に示すようにホルダ１のスライド溝６から突出した状態と、図１（ｂ）に示すようにこのスライド溝６内に収納された状態とを取り得る。
【００３５】
＜前記スライダ２の詳細＞
図１に示すスライダ２は、図２，３，４に示すように、大別して、プラスチック製のスライダ本体８と、このスライダ本体８に対し移動操作可能に支持されたプラスチック製の操作体９と、このスライダ本体８に取り付けられた金属製の係止ばね１０とを備えている。
【００３６】
下記で詳述するように、この係止ばね１０自体の構成及びこの係止ばね１０との関連構成が、改良されている。
＊  前記スライダ本体８
このスライダ本体８は、前縁部１１ａと後縁部１１ｂと上縁部１１ｃと下縁部１１ｄとを有する台部１１と、この各縁部１１ａ，１１ｂ，１１ｃ，１１ｄ間で台部１１の右側中央部から突設されたロック部１２とを備えている。このロック部１２においては、その内側にロック室１３が形成され、このロック室１３の上下両側が係止孔１４で開放されているとともに、このロック室１３の右側が操作孔１５で開放されている。この台部１１の内側にはロック室１３に連通するばね室１６が形成されている。この台部１１の上縁部１１ｃ及び下縁部１１ｄには、前記ロック室１３の上下両係止孔１４及びばね室１６に連通する係止孔１７が形成されている。この台部１１の前縁部１１ａ及び後縁部１１ｂには、ばね室１６につながるばね支持部１８が形成されている。この台部１１の前縁部１１ａの右側には、このばね支持部１８よりも前側で前記刃体３が連結される刃体支持部１９が形成されている。
【００３７】
＊  前記操作体９
この操作体９は、前記ロック部１２の右側に当てがわれる指掛部２０と、この指掛部２０の左側から突設された押圧部２１とを有している。この押圧部２１はロック部１２の操作孔１５からロック室１３に挿入されている。この押圧部２１が操作孔１５を動き得る範囲で、操作体９がロック部１２に対し前後方向Ａへ移動し得る。この押圧部２１の前後両側には前後方向Ａに対し傾斜させたＶ状の押接面２２が形成されている。
【００３８】
＊  前記係止ばね１０
この係止ばね１０は、前後方向Ａへ延設された板ばね２３と、この板ばね２３に対し別体に設けられた係止軸２４とを有している。この板ばね２３においては、前後方向Ａの中央部に載置面２５が形成され、前端部及び後端部には引掛部２６が形成されている。この係止軸２４は、丸棒であって、上下方向Ｂへ延設された中心線２７ａを持つ円形状の外周面２７と、上下方向Ｂの両側で切断された両端面２８とを有している。この係止軸２４が前記板ばね２３の載置面２５に対し互いに分離可能に載置されてこの載置面２５の上下両側から突出し、この係止軸２４の上下両端部には前記外周面２７の一部と端面２８とを有する係止部２９が設けられている。
【００３９】
＊  前記係止ばね１０と前記スライダ本体８及び操作体９との関連構成
この係止ばね１０の板ばね２３は前記台部１１のばね室１６に収容され、この板ばね２３の前後両引掛部２６が前記台部１１の前後両ばね支持部１８に引掛けられて両持ち梁状に支持されているとともに、この板ばね２３の載置面２５が前記ロック部１２のロック室１３に面している。前記係止軸２４はこのロック室１３でこの載置面２５に載置されて収容され、この係止軸２４の上下両係止部２９がロック室１３の上下両係止孔１４から突出して露出するとともに、台部１１の上下両係止孔１７に係入されている。係止軸２４は、板ばね２３の弾性力の働く付勢向きへ押されて前記操作体９の押圧部２１の押接面２２に圧接され、この押接面２２と板ばね２３の載置面２５との間で挟持される。
【００４０】
前述したように、係止軸２４は、板ばね２３の載置面２５に対し互いに分離可能な状態で単に載置されて取り付けられているだけである。そのため、下記・に示すように、板ばね２３上における係止軸２４の動きを規制する構造を採用している。
【００４１】
・  左右方向Ｃの動きに対する規制
係止軸２４を載置する板ばね２３の載置面２５が左側規制面に該当するとともに、係止軸２４をこの板ばね２３の載置面２５との間で挟持する操作体９の押接面２２が右側規制面に該当し、これらの規制面が係止軸２４の外周面２７の左右両側を係止し得る。
【００４２】
・  前後方向Ａの動きに対する規制
スライダ本体８のロック室１３を開放する上下両係止孔１４において、その前後両縁部が前後両規制面３０に該当し、この前後両規制面３０が係止軸２４の外周面２７の前後両側を係止し得る。
【００４３】
・  上下方向Ｂの動きに対する規制
台部１１の上下両縁部１１ｃ，１１ｄでロック室１３の上下両係止孔１４及びばね室１６に連通する係止孔１７において、その上下両縁部が上下両規制面３１に該当し、この上下両規制面３１が係止軸２４の上下両係止部２９の上下両端面２８を係止し得る。
【００４４】
＊  前記スライダ２の係止軸２４と前記ホルダ１の各係止凹部７との関連構成この係止軸２４の上下両係止部２９にあって円形状の外周面２７においては、その中心線２７ａを通り且つ前後方向Ａを含む想定平面Ｓで区画した場合、この想定平面Ｓ上の境界面３４に対し板ばね２３の付勢向き側となる外側半円周面３２と、同じくこの想定平面Ｓ上の境界面３４に対しこの付勢向きの反対向き側になる内側半円周面３３とを有している。
【００４５】
スライダ２の操作体９を操作しない状態で、上下両係止部２９は、板ばね２３の弾性力により付勢されてスライド溝６の上下両係止凹部７に係入されたロック位置Ｒとなり、上下両係止凹部７の前後両側面７ｂ，７ｃに上下両係止部２９の内側半円周面３３が係止可能なロック状態ＰＲを取る。
【００４６】
＜前記ロック状態ＰＲにおける力学的考察＞
このロック状態ＰＲにおいては、図５（ａ）に示すように、前記想定平面Ｓ上にある円形状外周面２７の中心線２７ａ及び内外両半円周面３３，３２間の境界面３４が、上下両係止凹部７の前後両側面７ｂ，７ｃから付勢向き側へ若干離れた位置にある。この場合、スライダ２に対し前後方向Ａへの移動力が加えられても、図５（ｂ）（ｃ）に示すように、上下両係止部２９の内側半円周面３３が上下両係止凹部７の前後両側面７ｂ，７ｃに係止される。従って、この内側半円周面３３がこの前後両側面７ｂ，７ｃの右端縁に働く力の分力Ｗは、右向き（付勢向き）になる。
【００４７】
このロック状態ＰＲで、操作体９に指を当てがってスライダ２を前後方向Ａへ移動操作するとともにこの操作体９をスライダ本体８に対し前後方向Ａへ移動操作するか、または、スライダ２を移動操作しないで操作体９のみをスライダ本体８に対し前後方向Ａへ移動操作すると、この操作体９の傾斜状押接面２２により係止軸２４の上下両係止部２９が板ばね２３の弾性力に抗して左方（付勢向きに対する反対向き側）へ押され、図６（ａ）に示すように前記想定平面Ｓ上の中心線２７ａ及び境界面３４が上下両係止凹部７内で前後両側面７ｂ，７ｃ間に位置し得る。この場合、図６（ｂ）（ｃ）に示すように、前後両境界面３４が前後両側面７ｂ，７ｃに対し働く力の方向は、前後両側面７ｂ，７ｃに対し直角であるため、理論的には、前記分力Ｗが右向き（付勢向き）にも左向き（付勢向きに対する反対向き）にも働かない。従って、この場合も理論的にはロック状態ＰＲである。ただし、製造誤差を考慮すると、十分なロック状態ＰＲであるとは言えず、図５（ａ）に示すように前記想定平面Ｓ上の中心線２７ａ及び境界面３４を前後両側面７ｂ，７ｃから付勢向き側へ若干離れた位置に設定した。
【００４８】
＜ロック解除作用＞
図６（ａ）に示すロック状態ＰＲからさらに、上下両係止部２９が左方へ押されると、図７（ａ）に示すように、前記想定平面Ｓ上の中心線２７ａ及び境界面３４が前後両側面７ｂ，７ｃの左端縁から左方（付勢向きに対する反対向き側）へ若干離れた位置まで移動する。この場合、図７（ｂ）（ｃ）に示すように、上下両係止部２９はその外側半円周面３２で前後両側面７ｂ，７ｃに係止されるロック解除位置Ｆになってロック解除状態ＱＦ１を取る。従って、この外側半円周面３２がこの前後両側面７ｂ，７ｃの左端縁に働く力の分力Ｗは、左向き（付勢向きに対する反対向き）になる。そのため、上下両係止部２９は、さらに左方へ押され、その外周面２７が前後両側面７ｂ，７ｃの左端縁の左方へ外れたロック解除位置Ｆになってロック解除状態ＱＦ２を取る。
【００４９】
＜ロック作用＞
前述したようにスライダ２を前後方向Ａへ移動操作した後に操作体９を離すと、板ばね２３の弾性力により、係止軸２４及び操作体９が前述したロック状態ＰＲに戻り、係止軸２４の上下両係止部２９がホルダ１の上下両係止凹部７に対し再び係入される。
【００５０】
〔第二実施形態〕
次に、第二実施形態にかかる刃体出没式カッターナイフを第一実施形態との相違点を中心に図８〜１１及び図５〜７を参照して説明する。ちなみに、第一実施形態の図１（ａ）（ｂ）（ｃ）、図２（ａ）（ｂ）（ｃ）、図３及び図４がそれぞれ第二実施形態の図８（ａ）（ｂ）（ｃ）、図９（ａ）（ｂ）（ｃ）、図１０及び図１１に対応し、第一実施形態の図５（ａ）（ｂ）（ｃ）、図６（ａ）（ｂ）（ｃ）及び図７（ａ）（ｂ）（ｃ）については第二実施形態で援用する。また、第二実施形態を説明するにあたって、第一実施形態と対応する構成については第一実施形態の符号を援用する。
【００５１】
＜カッターナイフの概要＞
図８に示すように、このカッターナイフは、大別して、ホルダ１とスライダ２と刃体３とを備え、その概要については、後述するようにスライダ２を変更した以外、第一実施形態と同様である。
【００５２】
＜前記スライダ２の詳細＞
図８及び図９，１０，１１に示すように、スライダ２は、大別して、第一実施形態と同様に、プラスチック製のスライダ本体８と、このスライダ本体８に対し移動操作可能に支持されたプラスチック製の操作体９と、このスライダ本体８に取り付けられた金属製の係止ばね１０とを備えている。
【００５３】
下記で詳述するように、この係止ばね１０自体の構成及びこの係止ばね１０との関連構成が、改良されている。
＊  前記スライダ本体８
このスライダ本体８は、前縁部１１ａと後縁部１１ｂと上縁部１１ｃと下縁部１１ｄとを有する台部１１と、この各縁部１１ａ，１１ｂ，１１ｃ，１１ｄ間で台部１１の右側中央部から突設されたロック部１２とを備えている。このロック部１２においては、その内側にロック室１３が形成され、このロック室１３の上下両側が係止孔１４で開放されているとともに、このロック室１３の右側が操作孔１５で開放されている。この台部１１の内側にはロック室１３に連通するばね室１６が形成されている。この台部１１の上縁部１１ｃ及び下縁部１１ｄには、前記ロック室１３の上下両係止孔１４及びばね室１６に連通する係止孔１７が形成されている。この係止孔１７の左側は壁１７ａで閉塞されている。このばね室１６内の前後両端部で台部１１にはばね支持部１８が形成されている。この台部１１の前縁部１１ａの右側には、前記刃体３が連結される刃体支持部１９が形成されている。
【００５４】
前記上下両係止孔１４には、操作体９に面する側（右側）へ開放された組付口部１４ａが前記操作孔１５の上下両側に隣接して形成されている。この組付口部１４ａにより、上下両係止孔１４と、この上下両係止孔１４間にある操作孔１５の一部１５ａとが互いに連通している。
【００５５】
＊  前記操作体９
この操作体９は、前記ロック部１２の右側に当てがわれる指掛部２０と、この指掛部２０の左側から突設された上下両押圧部２１とを有している。この指掛部２０の左側には上下両押圧部２１間でストッパ突条２０ａが前後方向Ａへ延設されている。この上下両押圧部２１がロック部１２の外側でその上下両側に当てがわれてそれらの各係止突条１２ａ，２１ａで前後方向Ａへ移動可能に係止されるとともに、このストッパ突条２０ａがロック部１２の操作孔１５に挿入され、このストッパ突条２０ａが操作孔１５を動き得る範囲で、操作体９がロック部１２に対し前後方向Ａへ移動し得る。この上下両押圧部２１の前後両側には前後方向Ａに対し傾斜させたＶ状の押接面２２が形成されている。
【００５６】
＊  前記係止ばね１０
この係止ばね１０は、前後方向Ａへ延設された平板形状の板ばね２３と、この板ばね２３に対し別体に設けられた係止軸２４とを有している。この板ばね２３においては、前後方向Ａの中央部が載置面２５となり、前端部及び後端部が引掛部２６になっている。この係止軸２４は、丸棒であって、上下方向Ｂへ延設された中心線２７ａを持つ円形状の外周面２７と、上下方向Ｂの両側で切断された両端面２８とを有している。この係止軸２４が前記板ばね２３の載置面２５に対し互いに分離可能に載置されてこの載置面２５の上下両側から突出し、この係止軸２４の上下両端部には前記外周面２７の一部と端面２８とを有する係止部２９が設けられている。
【００５７】
＊  前記係止ばね１０と前記スライダ本体８及び操作体９との関連構成
この係止ばね１０の板ばね２３は前記ロック部１２のロック室１３に操作孔１５から挿入されて前記台部１１のばね室１６に収容され、この板ばね２３の前後両引掛部２６が前記台部１１の前後両ばね支持部１８に引掛けられて両持ち梁状に支持されているとともに、この板ばね２３の載置面２５がロック部１２のロック室１３に面している。
【００５８】
前記係止ばね１０の係止軸２４は、前記上下両係止孔１４の組付口部１４ａと操作孔１５の一部１５ａとからロック室１３に挿入され、前記板ばね２３の載置面２５に載置されている。この係止軸２４の上下両係止部２９は、ロック室１３から上下両係止孔１４を通して突出する状態で、前記台部１１の上下両係止孔１７に係入されている。この係止軸２４は、板ばね２３の弾性力の働く付勢向きへ押されて前記操作体９の上下両押圧部２１の押接面２２に圧接され、この押接面２２と板ばね２３の載置面２５との間で挟持される。
【００５９】
前述したように、この係止軸２４は、板ばね２３の載置面２５に対し互いに分離可能な状態で単に載置されて取り付けられているだけである。そのため、下記・に示すように、板ばね２３上における係止軸２４の動きを規制する構造を採用している。
【００６０】
・  左右方向Ｃの動きに対する規制
係止軸２４を載置する板ばね２３の載置面２５が左側規制面に該当するとともに、係止軸２４をこの板ばね２３の載置面２５との間で挟持する操作体９の押接面２２が右側規制面に該当し、これらの規制面が係止軸２４の外周面２７の左右両側を係止し得る。
【００６１】
・  前後方向Ａの動きに対する規制
スライダ本体８のロック室１３を開放する上下両係止孔１４において、その前後両縁部が前後両規制面３０に該当し、この前後両規制面３０が係止軸２４の外周面２７の前後両側を係止し得る。
【００６２】
・  上下方向Ｂの動きに対する規制
操作体９の上下両押圧部２１間において指掛部２０の左側にはＶ状押接面２２の頂部で上下方向Ｂへ延びる凹部２０ｂがストッパ突条２０ａを横切るように形成され、この凹部２０ｂの上下両縁部が上下両規制面３１ａに該当し、この上下両規制面３１ａが係止軸２４の上下両係止部２９の上下両端面２８を係止し得る。
【００６３】
また、台部１１の上下両縁部１１ｃ，１１ｄでロック室１３の上下両係止孔１４及びばね室１６に連通する係止孔１７において、その上下両縁部が上下両規制面３１ｂに該当し、この上下両規制面３１ｂが係止軸２４の上下両係止部２９の上下両端面２８を係止し得る。ちなみに、この上下両規制面３１ｂは第一実施形態の上下両規制面３１に該当する。
【００６４】
＊  前記スライダ２の係止軸２４と前記ホルダ１の各係止凹部７との関連構成この係止軸２４の上下両係止部２９にあって円形状の外周面２７においては、その中心線２７ａを通り且つ前後方向Ａを含む想定平面Ｓで区画した場合、この想定平面Ｓ上の境界面３４に対し板ばね２３の付勢向き側となる外側半円周面３２と、同じくこの想定平面Ｓ上の境界面３４に対しこの付勢向きの反対向き側になる内側半円周面３３とを有している。
【００６５】
スライダ２の操作体９を操作しない状態で、上下両係止部２９は、板ばね２３の弾性力により付勢されてスライド溝６の上下両係止凹部７に係入されたロック位置Ｒとなり、上下両係止凹部７の前後両側面７ｂ，７ｃに上下両係止部２９の内側半円周面３３が係止可能なロック状態ＰＲを取る。
【００６６】
＜前記ロック状態ＰＲにおける力学的考察＞と＜ロック解除作用＞と＜ロック作用＞とについては、前記第一実施形態と同様である。
〔第三実施形態〕
次に、第三実施形態にかかる刃体出没式カッターナイフを第二実施形態との相違点を中心に図１２〜１５を参照して説明する。ちなみに、第二実施形態の図８（ａ）（ｂ）（ｃ）、図９（ａ）（ｂ）（ｃ）、図１０及び図１１がそれぞれ第三実施形態の図１２（ａ）（ｂ）（ｃ）、図１３（ａ）（ｂ）（ｃ）、図１４及び図１５に対応し、第一実施形態の図５（ａ）（ｂ）（ｃ）、図６（ａ）（ｂ）（ｃ）及び図７（ａ）（ｂ）（ｃ）については第三実施形態で援用する。また、第三実施形態を説明するにあたって、第二実施形態と対応する構成については第二実施形態の符号を援用し、その説明を省略する。
【００６７】
第三実施形態にかかるスライダ本体８は、互いに分離して設けられた基台３５と枠部３６とからなる。この基台３５は、第二実施形態にかかるスライダ本体８と同様な構造をなす。刃体３はこの基台３５の刃体支持部１９に連結される。係止ばね１０はこの基台３５のロック部１２内に取り付けられる。この枠部３６の外周形状は第二実施形態にかかる操作体９の外周形状に類似するが、この枠部３６は、基台３５に対し前後方向Ａや上下方向Ｂや左右方向Ｃへ動かないように組み付けられている点で、第二実施形態の操作体９と異なる。その組付状態では、枠部３６が基台３５の右側からロック部１２に被せられ、ロック部１２及びその各係止突条１２ａに対し枠部３６の各係止鉤部３７及びその係止突条３７ａが着脱可能に係合されるとともに、ロック部１２の操作孔１５の前後両端部に対し枠部３６の前後両係止突起３８が着脱可能に係合される。このスライダ本体８の枠部３６においては、その右側に形成された窪み３９で囲繞部４０が形成されているとともに、この囲繞部４０の内側で指掛孔４１が貫設されてロック部１２の上下両係止孔１４及び操作孔１５に連通している。
【００６８】
第三実施形態にかかる操作体９は、第二実施形態にかかる操作体９と比較して形状は異なるが、第二実施形態にかかる操作体９と同様に指掛部２０と上下両押圧部２１及びその押接面２２とを有している。そのほか、第三実施形態にかかる操作体９においては、上下両押圧部２１から案内突部４２が形成されている。
【００６９】
この操作体９は、基台３５のロック部１２に嵌め込まれ、このロック部１２と枠部３６との間で挟まれて着脱可能に組み付けられている。その組付状態では、操作体９の上下両案内突部４２が枠部３６の上下両案内凹部４３で案内されるとともに、操作体９の指掛部２０のストッパ突条２０ａがロック部１２の操作孔１５で案内されながら、操作体９がロック部１２及び枠部３６に対し一定範囲だけ前後方向Ａへ移動し得る。また、操作体９の指掛部２０は枠部３６の指掛孔４１から窪み３９に露出して収容され、この指掛部２０の前後両側及び上下両側が囲繞部４０で囲まれる。
【００７０】
前記操作体９の上下両案内突部４２間において指掛部２０の左側にはＶ状押接面２２の頂部で上下方向Ｂへ延びる凹部４２ａがストッパ突条２０ａを横切るように形成され、この凹部４２ａの上下両縁部が第二実施形態にかかる上下両規制面３１ａに該当し、この上下両規制面３１ａが係止軸２４の上下両係止部２９の上下両端面２８を係止し得る。
【００７１】
〔第四実施形態〕
次に、第四実施形態にかかる刃体出没式カッターナイフを第三実施形態との相違点を中心に図１６〜１９を参照して説明する。ちなみに、第三実施形態の図１２（ａ）（ｂ）（ｃ）、図１３（ａ）（ｂ）（ｃ）、図１４及び図１５がそれぞれ第四実施形態の図１６（ａ）（ｂ）（ｃ）、図１７（ａ）（ｂ）（ｃ）、図１８及び図１９に対応し、第一実施形態の図５（ａ）（ｂ）（ｃ）、図６（ａ）（ｂ）（ｃ）及び図７（ａ）（ｂ）（ｃ）については第四実施形態で援用する。また、第四実施形態を説明するにあたって、第三実施形態と対応する構成については第三実施形態の符号を援用し、その説明を省略する。
【００７２】
この第四実施形態にかかるスライダ２は、第三実施形態にかかるスライダ２と比較して形状は異なるが、基本的には第三実施形態にかかるスライダ２と同様に、基台３５及び枠部３６を有するスライダ本体８と、操作体９と、係止ばね１０とを備えている。この基台３５と枠部３６とは互いに分離して設けられて着脱可能に組み付けられているが、その組付状態での係止構造が第三実施形態と異なる。その組付状態では、枠部３６が基台３５の右側からロック部１２に被せられ、ロック部１２及び前後両係止孔４４に対し枠部３６の前後両係止鉤部３７が着脱可能に係合されるとともに、ロック部１２の操作孔１５の前後両端部に対し枠部３６の前後両係止突起３８が着脱可能に係合される。
【００７３】
第四実施形態にかかる操作体９は、第三実施形態にかかる操作体９と比較して形状は異なるが、基本的には第三実施形態にかかる操作体９と同様に、指掛部２０と押圧部２１及びその押接面２２とを有している。第三実施形態にかかる操作体９は一定範囲だけ前後方向Ａ及び上下方向Ｂへ移動し得るが、第四実施形態にかかる操作体９は一定範囲だけ上下方向Ｂのみへ移動し得る。操作体９の指掛部２０は枠部３６の指掛孔４１から窪み３９に露出して収容され、この指掛部２０の前後両側及び上下両側が囲繞部４０で囲まれる。
【００７４】
〔第一実施形態、第二実施形態、第三実施形態及び第四実施形態の別例〕
前記第一実施形態、第二実施形態、第三実施形態及び第四実施形態では係止軸２４が板ばね２３の載置面２５に対し互いに分離可能な状態で単に載置されて取り付けられているだけであるが、この第一実施形態の別例、第二実施形態の別例、第三実施形態の別例及び第四実施形態の別例では係止軸２４が載置面２５に対し溶接等により固着されて取り付けられている。この第一実施形態の別例では、特に図２（ｃ）において溶接部が生じる以外、第一実施形態の図面（図１〜７）を援用することができる。この第二実施形態の別例では、特に図９（ｃ）において溶接部が生じる以外、第二実施形態の図面（図８〜１１）を援用することができる。この第三実施形態の別例では、特に図１３（ｃ）において溶接部が生じる以外、第三実施形態の図面（図１２〜１５）を援用することができる。この第四実施形態の別例では、特に図１７（ｃ）において溶接部が生じる以外、第四実施形態の図面（図１６〜１９）を援用することができる。この第一実施形態の別例、第二実施形態の別例、第三実施形態の別例及び第四実施形態の別例では、上記溶接部により係止軸２４が板ばね２３と一体的になるので、第一実施形態、第二実施形態、第三実施形態及び第四実施形態で採用した規制構造（板ばね２３上における係止軸２４の動きを規制する構造）は必ずしも採用する必要がない。
【００７５】
〔別例〕
＊  第一実施形態、第二実施形態、第三実施形態及び第四実施形態では係止軸２４の上下両係止部２９の上下両端面２８に対し係止し得る上下両規制面３１，３１ａ，３１ｂをスライダ本体８に設けたが、この上下両規制面３１，３１ａ，３１ｂと同様な機能をホルダ１のスライド溝６の上下両係止凹部７においてその底面７ａに持たせる。
【００７６】
＊  第一実施形態、第二実施形態、第三実施形態及び第四実施形態ではスライド溝６の上下両係止凹部７において前側面７ｂと後側面７ｃとが上下方向Ｂ及び左右方向Ｃへそれぞれ互いに平行に延設されている。図示しないが、この構成に代えて、左右方向Ｃに対しこの前側面７ｂと後側面７ｃとを傾斜させてそれらの間隔を付勢向き側または付勢向きに対する反対向き側へ次第に広げる。ちなみに、前記想定平面Ｓ上の境界面３４をこの上下両係止凹部７の前側面７ｂ及び後側面７ｃとに対し係止し得る位置が、前記ロック位置Ｒとロック解除位置Ｆとの境界位置となる。
【００７７】
＊  第一実施形態、第二実施形態、第三実施形態及び第四実施形態では係止軸２４として断面円形中実丸棒を利用したが、断面円形中空丸棒を利用する。また、第一実施形態、第二実施形態、第三実施形態及び第四実施形態では係止軸２４の上下方向Ｂ全体の外周面２７を円形状にしたが、係止軸２４の上下両係止部２９の外周面２７のみを円形状にする。
【図面の簡単な説明】
【図１】（ａ）は第一実施形態にかかる刃体出没式カッターナイフにおいて刃体突出状態を示す正面図であり、（ｂ）は同じく刃体収納状態を示す正面図であり、（ｃ）は（ａ）の部分拡大正面図である。
【図２】（ａ）は第一実施形態にかかる刃体出没式カッターナイフのスライダを示す分解斜視図であり、（ｂ）は同じく組付け斜視図であり、（ｃ）はこのスライダの係止ばねを示す斜視図である。
【図３】図１（ａ）のＸ１−Ｘ１線部分拡大断面図である。
【図４】図１（ａ）のＸ２−Ｘ２線部分拡大断面図である。
【図５】（ａ）は係止軸が係止凹部に対しロック位置にある状態を示す図３の部分拡大断面図であり、（ｂ）及び（ｃ）はそれぞれ（ａ）のロック位置において係止軸と係止凹部との当接状態を示す部分拡大断面図である。
【図６】（ａ）は係止軸がロック位置にある状態を示す図５（ａ）相当図であり、（ｂ）及び（ｃ）はそれぞれ（ａ）のロック位置において係止軸と係止凹部との当接状態を示す部分拡大断面図である。
【図７】（ａ）は係止軸がロック解除位置にある状態を示す図５（ａ）相当図であり、（ｂ）及び（ｃ）はそれぞれ（ａ）のロック解除位置において係止軸と係止凹部との当接状態を示す部分拡大断面図である。
【図８】（ａ）は第二実施形態にかかる刃体出没式カッターナイフにおいて刃体突出状態を示す正面図であり、（ｂ）は同じく刃体収納状態を示す正面図であり、（ｃ）は（ａ）の部分拡大正面図である。
【図９】（ａ）は第二実施形態にかかる刃体出没式カッターナイフのスライダを示す分解斜視図であり、（ｂ）は同じく組付け斜視図であり、（ｃ）はこのスライダの係止ばねを示す斜視図である。
【図１０】（ａ）は図８（ａ）のＹ１−Ｙ１線部分拡大断面図であり、（ｂ）は（ａ）の部分拡大図である。
【図１１】図８（ａ）のＹ２−Ｙ２線部分拡大断面図である。
【図１２】（ａ）は第三実施形態にかかる刃体出没式カッターナイフにおいて刃体突出状態を示す正面図であり、（ｂ）は同じく刃体収納状態を示す正面図であり、（ｃ）は（ａ）の部分拡大正面図である。
【図１３】（ａ）は第三実施形態にかかる刃体出没式カッターナイフのスライダを示す分解斜視図であり、（ｂ）は同じく組付け斜視図であり、（ｃ）はこのスライダの係止ばねを示す斜視図である。
【図１４】（ａ）は図１２（ａ）のＺ１４−Ｚ１４線部分拡大断面図であり、（ｂ）は（ａ）の部分拡大図である。
【図１５】図１２（ａ）のＺ１５−Ｚ１５線部分拡大断面図である。
【図１６】（ａ）は第四実施形態にかかる刃体出没式カッターナイフにおいて刃体突出状態を示す正面図であり、（ｂ）は同じく刃体収納状態を示す正面図であり、（ｃ）は（ａ）の部分拡大正面図である。
【図１７】（ａ）は第四実施形態にかかる刃体出没式カッターナイフのスライダを示す分解斜視図であり、（ｂ）は同じく組付け斜視図であり、（ｃ）はこのスライダの係止ばねを示す斜視図である。
【図１８】（ａ）は図１６（ａ）のＺ１８−Ｚ１８線部分拡大断面図であり、（ｂ）は（ａ）の部分拡大図である。
【図１９】図１６（ａ）のＺ１９−Ｚ１９線部分拡大断面図である。
【符号の説明】
１…ホルダ、２…スライダ、３…刃体、６…スライド溝、７…上下の係止凹部、８…スライダ本体、９…操作体、１０…係止ばね、１３…ロック室、１４…係止孔、１４ａ…組付口部、１５…操作孔、１５ａ…操作孔の一部、２２…押接面（右側規制面）、２３…板ばね、２４…係止軸、２５…載置面（左側規制面）、２７…係止軸外周面、２７ａ…中心線、２９…上下の係止部、３０…前後の規制面、３１，３１ａ，３１ｂ…上下の規制面、３２…外側半円周面、３３…内側半円周面、４０…囲繞部、Ａ…前後方向、Ｂ…上下方向、Ｃ…左右方向、Ｓ…想定平面、Ｒ…ロック位置、ＰＲ…ロック状態、Ｆ…ロック解除位置、ＱＦ１，ＱＦ２…ロック解除状態。
【図１】
0003605546.tif 000002
【図２】
0003605546.tif 000003
【図３】
0003605546.tif 000004
【図４】
0003605546.tif 000005
【図５】
0003605546.tif 000006
【図６】
0003605546.tif 000007
【図７】
0003605546.tif 000008
【図８】
0003605546.tif 000009
【図９】
0003605546.tif 000010
【図１０】
0003605546.tif 000011
【図１１】
0003605546.tif 000012
【図１２】
0003605546.tif 000013
【図１３】
0003605546.tif 000014
【図１４】
0003605546.tif 000015
【図１５】
0003605546.tif 000016
【図１６】
0003605546.tif 000017
【図１７】
0003605546.tif 000018
【図１８】
0003605546.tif 000019
【図１９】
0003605546.tif 000020